(57)【特許請求の範囲】
【請求項１】
光学像を電気信号に変換する撮影手段と、
前記撮影手段によって得られた画像を情報記録部に記録する記録手段と、
前記撮影手段によって得られた画像又は前記記録手段により記録された画像を表示する表示手段と、
ユーザ指示を入力するためのタッチパネルと、
前記タッチパネル上のなぞり操作を検知し、なぞりのパターンを判断するパターン判断手段と、
前記パターン判断手段により判断されたパターンに応じた処理を実行するために装置各部を制御する制御手段と、を具備するデジタルスチルカメラであって、
前記制御手段は、前記表示手段が前記画像を表示している際に前記判断手段により前記なぞりのパターンが所定のパターンであると判断された場合、前記デジタルスチルカメラの表示モードを第１のモードから第２のモードに変更し、
前記所定のパターンと同一のなぞりパターンに対して、前記第１のモードとは異なる処理を前記第２のモードで実行することを特徴とするデジタルスチルカメラ。
【請求項２】
前記判断手段により前記なぞりのパターンが、左から右、又は右から左の線状パターンであると判断された場合、前記制御手段は、前記表示手段に表示される画像の送り又は戻し操作を行うことを特徴とする請求項１に記載のデジタルスチルカメラ。
【請求項３】
前記判断手段により前記なぞりのパターンが、下から上又は上から下の線状パターンであると判断された場合、前記制御手段は前記表示手段に表示される画像の拡大を行うことを特徴とする請求項１に記載のデジタルスチルカメラ。
【請求項４】
前記判断手段により前記なぞりのパターンが、下から上又は上から下の線状パターンであると判断された場合、前記制御手段は前記表示手段に複数のサムネイル画像を表示することを特徴とする請求項１に記載のデジタルスチルカメラ。
【請求項５】
前記判断手段により前記なぞりのパターンが、”×”あるいは画像の消去を示すパターンであると判断された場合、前記制御手段は前記表示手段に表示されている画像を前記情報記録部から消去することを特徴とする請求項１に記載のデジタルスチルカメラ。
【請求項６】
前記判断手段により前記なぞりのパターンが、円あるいは画像の保護を示すパターンであると判断された場合、前記制御手段は前記表示手段に表示されている画像の保護に関する処理を行うことを特徴とする請求項１に記載のデジタルスチルカメラ。
【請求項７】
前記判断手段により前記なぞりのパターンが、”ｑ”あるいはクオリティ変更を示すパターンであると判断された場合、前記制御手段は前記表示手段に表示されている画像のクオリティ変更に関する処理を行い、前記記録部に記録することを特徴とする請求項１に記載のデジタルスチルカメラ。
【請求項８】
前記判断手段により前記なぞりのパターンが、”Ｒ”あるいは画像のリサイズを示すパターンであると判断された場合、前記制御手段は前記表示手段に表示されている画像のリサイズに関する処理を行い、前記記録部に記録することを特徴とする請求項１に記載のデジタルスチルカメラ。
【請求項９】
前記判断手段により前記なぞりのパターンが、”Ｃ”あるいは画像のコピーを示すパターンであると判断された場合、前記制御手段は前記表示手段に表示されている画像のコピーに関する処理を行うことを特徴とする請求項１に記載のデジタルスチルカメラ。
【請求項１０】
前記制御手段は、前記判断手段により前記なぞりのパターンが、下から上又は上から下の線状パターンであると判断された場合、前記表示手段に表示される画像の拡大を行い、
前記表示手段の表示モードを拡大表示モードに変更するモード変更手段を有し、
前記モード変更手段により表示モードが前記拡大表示モードに変更された場合、前記タッチパネル上のなぞり操作を検知し、タッチパネルがなぞられた方向へ画像表示をシフトする表示シフト手段を更に具備することを特徴とする請求項１に記載のデジタルスチルカメラ。
【請求項１１】
前記制御手段は、前記判断手段により前記なぞりのパターンが、下から上又は上から下の線状パターンであると判断された場合、前記表示手段の表示モードを複数のサムネイル画像を表示するサムネイル表示モードに変更する表示モード変更手段を有し、
前記モード変更手段により表示モードが前記サムネイル表示モードに変更された場合、
前記タッチパネル上のなぞり操作を検知し、タッチパネルがなぞられた方向へ前記複数のサムネイル画像をスクロールするスクロール手段を更に具備することをことを特徴とする請求項１に記載のデジタルスチルカメラ。
【請求項１２】
前記モード変更手段により表示モードが前記サムネイル表示モードに変更された場合、
前記表示手段にスクロールバーを表示し、該スクロールバー上のなぞり操作を検知し、なぞられた方向へ前記スクロールバー及び前記複数のサムネイル画像をスクロールするスクロール手段を更に具備することを特徴とする請求項１１に記載のデジタルスチルカメラ。
【発明の詳細な説明】
【０００１】
【発明の属する技術分野】
この発明は、入力手段にタッチパネルを用いたデジタルスチルカメラ及びタッチパネルのなぞり操作に関する。
【０００２】
【従来の技術】
従来のデジタルスチルカメラでは、ストロボの設定、ズーム撮影等の設定、及び画像の送り、画像の拡大・縮小等の再生に関する操作を、カメラ本体の背面や上面に配置されたボタン類によって行う。カメラの高機能化及び小型化の要求が高まってきたときに、それら要求を同時に実現することは困難である。高機能化を実現するためには多くのボタン類を装備するか、操作メニューのネストを深くする必要がある。さらに小型化を実現するためには、ボタン類の数を減らして、操作メニューのネストをさらに深くする必要がある。
【０００３】
しかし、ボタン類の数を増やすことは小型化に不利となり、操作メニューのネストを深くすることは、操作性の低下につながる。そのため、機械的なボタン類の数を増やす代わりに、入力手段としてタッチパネルを用いたデジタルスチルカメラが開発された。タッチパネルはタッチ検出機能を有し、カメラ背面のＬＣＤ表示部前面に設けられる。ＬＣＤ表示部にメニューを表示させて、タッチしたメニューに相当する機能を実行させることができる。
【０００４】
【発明が解決しようとする課題】
しかし上記したようなタッチパネルは、単にボタンの機能を有するだけで、多機能使用時のメニューのネストの深さはボタン操作の場合とさほど変わらず、操作性の向上はあまり望めない。
【０００５】
従って本発明は、デジタルスチルカメラの高機能化と小型化と高い操作性を実現することを目的とする。
【０００６】
【課題を解決するための手段】
上記目的を達成するために本発明の一実施形態に係るデジタルスチルカメラは、光学像を電気信号に変換する撮影手段と、前記撮影手段によって得られた画像を情報記録部に記録する記録手段と、前記撮影手段によって得られた画像又は前記記録手段により記録された画像を表示する表示手段と、ユーザ指示を入力するためのタッチパネルと、前記タッチパネル上のなぞり操作を検知し、なぞりのパターンを判断するパターン判断手段と、前記パターン判断手段により判断されたパターンに応じた処理を実行するために装置各部を制御する制御手段と、を具備するデジタルスチルカメラであって、前記制御手段は、前記表示手段が前記画像を表示している際に前記判断手段により前記なぞりのパターンが所定のパターンであると判断された場合、前記デジタルスチルカメラの表示モードを第１のモードから第２のモードに変更し、前記所定のパターンと同一のなぞりパターンに対して、前記第１のモードとは異なる処理を前記第２のモードで実行する。
【０００７】
タッチパネルがボタン類と同様な働きをするだけでなく、なぞり操作を可能にすることにより、デジタルスチルカメラの操作性を向上させ、ユーザーがより直感的に操作できるようになる。
【０００８】
【発明の実施の形態】
以下、この発明の実施形態について図面を参照して詳細に説明する。
【０００９】
図１は本発明が適用されるデジタルスチルカメラ１００の構成の一例を示すブロック図である。固体撮像素子１０１からの映像信号は前処理部１０２にて増幅及び濾波された後、Ａ／Ｄ変換器１０３にてデジタル信号に変換される。Ａ／Ｄ変換された信号は、処理部１０４にて信号処理され、画像データとしてメモリ１０５に蓄えられる。
【００１０】
マイコン１０６は本発明を含む制御プログラムを格納するＲＯＭ１０６ａ、及び作業エリアとして使用するＲＡＭ１０６ｂを含む。マイコン１０６はボタン類１０９又はタッチパネル１１０を介して入力されるユーザ指示に応じて装置各部を制御する。マイコン１０６はメモリ１０５に蓄えられた画像データをメディア１０７に書き込んだり、ＬＣＤ１０８に出力して画像を表示したり、メディア１０７に書き込まれた画像データをＬＣＤ１０８に表示する。
【００１１】
図２は図１に示したデジタルスチルカメラ１００の背面構成の一例を示す平面図である。カラーＬＣＤ１０８、タッチパネル１１０、十字キー１０９ａ、モードキー１０９ｂ等が配置されている。タッチパネル１１０はＬＣＤ１０８全面を覆うように設けられている。タッチパネル１１０に例えば人の指先が接触すると、タッチパネル１１０は該接触部の座標を検出することができる。
【００１２】
図３は標準再生モードにおけるタッチパネルへのタッチ入力の検出フローチャートの一例である。標準再生モードとは、デジタルスチルカメラ１００のレンズカバー（図示されず）が閉じた状態で装置の電源が投入された場合に設定されるモードである。
【００１３】
タッチ入力が開始されると（Ｓ１０１）、マイコン１０６は接触部の座標（ｘ、ｙ）を取得する（Ｓ１０２）。入力が続いているか所定時間間隔で判定し（Ｓ１０３）、入力が続いていればその座標を取得する（Ｓ１０２）。入力が終了すると、マイコン１０６は上記で取得した座標をもとに、パターン判別を行い（Ｓ１０４）、判別したパターンに対応する処理を実行する（Ｓ１０５）。
【００１４】
図４は標準再生モードにおけるステップＳ１０５のパターンに対応する処理を示すフローチャート、図５〜図１０は各なぞり操作を説明するための図である。
【００１５】
図５は画像送り・戻し操作を示す。図５（ａ）内の矢印２０１のように左から右へとタッチパネル上をなぞれば、図５（ｂ）に示すように、現在の画像Ａの表示から次の画像Ｂの表示に移行する。また、図５（ｂ）内の矢印２０２のように右から左へとタッチパネル上をなぞることにより、図５（ａ）に示すように、現在の画像Ｂの表示から前の画像Ａの表示に移行する。また、図５（ｃ）内の矢印２０３のように、図５（ａ）内の矢印２０１よりも長く左から右へとタッチパネル上をなぞると、図５（ｄ）に示すように、現在の画像Ａの表示から例えば１０枚先の画像Ｋの表示に移行する。また、図５（ｄ）内の矢印２０４のように、図５（ｂ）内の矢印２０２よりも長く右から左へとタッチパネル上をなぞると、図５（ｃ）に示すように、現在の画像Ｋの表示から１０枚前の画像Ａの表示に移行する。
【００１６】
このように、タッチパネル上を左から右、右から左へなぞることにより、即ちステップＳ２０１のように、なぞりのパターンが、左から右、又は右から左の線状パターンである場合、ステップＳ２０２のように画像送り・戻し操作を行う。また、そのなぞりの長さにより、前後の画像を表示するか、１０枚前・後の画像を表示するかを選択可能としている。当然、なぞりの方向と画像送り・戻しの関係及び、なぞりの長さと飛び越す枚数の関係はこの限りではなく任意である。
【００１７】
図６は画像削除の操作を示す。図６（ａ）の矢印６０１の”×”となるようにタッチパネル上をなぞると（Ｓ２０３）、図６（ｂ）のように、図６（ａ）で表示されていた画像の消去確認画面へ移行し、”はい”を選択することにより画像が消去される（Ｓ２０４）。
【００１８】
図７は、画像の保護について示す。図７（ａ）の矢印７０１のように円となるようにタッチパネル上をなぞると（Ｓ２０５）、図７（ｂ）のように 図７（ａ）で表示されていた画像の保護を行い、図７（ｂ）内の鍵マーク７０２を表示する（Ｓ２０６）。
【００１９】
図８は画像のクオリティ変更について示す。多くのデジタルスチルカメラは、撮影した画像をデータ圧縮を施してから保存する。撮影画像のファイルサイズは、データ圧縮の圧縮率を一定にしても、被写体画像に依存する。一般に、デジタルスチルカメラは圧縮率を変化させ、撮影画像のファイルサイズをある程度一定にするように設計されている。そのファイルサイズの目標値をここではクオリティと定義する。図８（ａ）の矢印８０１のようにローマ字の”ｑ”となるようにタッチパネル上をなぞると（Ｓ２０７）、図８（ｂ）のように 図８（ａ）の画像のクオリティー“☆☆”８０２から“☆”８０３へ変更を行う。
【００２０】
図９は画像のリサイズについて示す。リサイズとは、画像のサイズを変更することである。図９（ａ）の矢印９０１のようにローマ字の”Ｒ”をとなるようにタッチパネル上をなぞると（Ｓ２０９）、図９（ｂ）のように 図９（ａ）の画像のサイズ“１６００ｘ１２００”９０２から“６４０ｘ４８０”９０３へリサイズ処理を行う（Ｓ２１０）。
【００２１】
図１０は画像のコピーについて示す。図１０（ａ）の矢印１００１のようにローマ字のＣを描くようにタッチパネル上をなぞると（Ｓ２１１）、図１０（ｂ）のように画像のコピーに関する処理が行われる（Ｓ２１２）。例えば、 図１０（ａ）で表示されていた画像がメディア１０７へコピーされる。
【００２２】
以上、標準再生モードにおけるタッチパネルのなぞり操作の実施例を示した。当然、これらは実施例であり、本発明ではタッチパネルのなぞりと、そのなぞり操作の入力によるデジタルスチルカメラの動作の関係は任意である。
【００２３】
次に表示モードの変更について説明する。図１１（ａ）及び図１１（ｃ）は拡大モードへの変更操作を示す。
【００２４】
図１１（ａ）内の矢印３０１のように下から上へとタッチパネル上をなぞると、フローは標準再生モードから拡大モードに移行し、図１１（ｂ）のように 図１１（ａ）の画像を１段拡大した画像を表示する。また、図１１（ｂ）内の矢印３０２のようにタッチパネル上を２回タップつまり２回叩くとと、モードは標準再生モードに戻り、図１１（ａ）のように 図１１（ｂ）の拡大前の画像を表示する。
【００２５】
また図１１（ｃ）内の矢印３０３のように、矢印３０１よりも長く下から上へとタッチパネル上をなぞると、モードは同様に拡大モードに変更され、図１１（ｄ）のように 図１１（ｃ）の画像を２段拡大した画像を表示する。また、図１１（ｄ）内の矢印３０４のようにタッチパネル上を２回タップすると、モードは標準再生モードに戻り、図１１（ｃ）のように 図１１（ｄ）の拡大前の画像を表示する。
【００２６】
このように、タッチパネル上を下から上へなぞることにより、つまり、なぞりのパターンが、下から上の線状パターンであった場合（Ｓ２１３）、マイコン１０６は表示モードを拡大モードに変更し、画像を拡大し、更にそのなぞりの長さにより拡大率を変更する。そして、拡大表示のときに、２回タッチパネル上をタップすることにより、拡大前の画像表示に戻る。当然、なぞりの方向と画像の拡大の関係及び、なぞりの長さと拡大率の関係はこの限りではなく任意である。拡大前の画像の表示へ戻るタップの回数もこの限りではなく任意である。
【００２７】
図１２は拡大モードにおけるなぞり操作処理の実施例を示すフローチャートである。図１３は、図１１で説明した操作によりモードが拡大モードに変更された後、表示位置を任意の場所へ移動させる操作を示す。図１３（ａ）の矢印４０１のようにタッチパネル上をなぞると、手で物を動かすかのように、タッチパネル上をなぞった方向へ、画像をずらして 図１３（ｂ）のように表示する。このときマイコン１０６は、所定時間間隔ごとに接触部の座標を入力し（Ｓ３０３）、タッチされ続けている度に（Ｓ３０４）、前回入力した座標と比較し（Ｓ３０５）、座標変化分だけ画像をシフトする操作を行う（Ｓ３０６）。この場合も２回タップされると（Ｓ３０７）、フローは図３の標準再生モードへ戻る。
【００２８】
図１１の説明に戻り、図１１（ｅ）の矢印３０５のように、上から下へとタッチパネル上をなぞると、フローは標準再生モードからサムネールモードに移行する。図１４はサムネイルモードにおけるＬＣＤ１０８の表示例を示し、図１５はサムネイルモードの動作を示すフローチャートである。
【００２９】
マイコン１０６は、複数のサムネイル画像（縮小画像）及びスクロールバー５０１をＬＣＤ１０８に表示した後（Ｓ４０１）、ユーザのタッチ入力を待つ（Ｓ４０２）。ユーザが図１４（ａ）のタッチパネル上のスクロールバー５０１を矢印５０２のように上から下へなぞると、サムネイル画像の表示が下へスクロールして、図１４（ｂ）のようにサムネイル画像Ｃ〜Ｈが表示される。
【００３０】
このときマイコン１０６は、図１５のように、スクロールバー５０１がタッチされているとき（Ｓ４０３）、所定時間間隔ごとに接触部の座標を入力し（Ｓ４０４）、タッチされ続けているたびに前回入力した座標（初期値はサムネイルＡ〜Ｆに対応する座標）と比較する（Ｓ４０６）。座標値に変化が生じた場合、座標変化分だけスクロールバー５０１をずらし、表示される複数のサムネイルをスクロールする（Ｓ４０７）。
【００３１】
同様に、図１４（ｂ）のスクロールバーを矢印５０３のように下から上へなぞると、サムネイル画像の表示が上へスクロールして、図１４（ａ）のようにサムネイル画像Ａ〜Ｆを表示する。
【００３２】
更に、図１４（ｃ）のタッチパネル上のスクロールバーを矢印５０４のように長く上から下へなぞると、サムネイル画像の表示が大きく下へスクロールして、図１４（ｄ）のようにサムネイル画像Ｋ〜Ｐが表示される。また、図１４（ｄ）のスクロールバーを矢印５０５のように長く下から上へなぞると、サムネイル画像の表示が上へスクロールして、図１４（ｃ）のようにサムネイル画像Ａ〜Ｆが表示される。
【００３３】
ここで、１つのサムネイル画像がタッチされると（ステップＳ４０８でＹｅｓの場合）、マイコン１０６はタッチされた画像を標準再生画像で表示し（Ｓ４０９）、図３の標準再生モードに戻る。
【００３４】
尚、なぞりの方向とサムネイル画像の表示のスクロールの関係及び、なぞりの長さとスクロールの大小及び、サムネイルのスクロールする方向などの関係はこの限りではなく任意である。
【００３５】
【発明の効果】
以上説明したように本発明によれば、デジタルスチルカメラをなぞり操作により操作ができるため、ボタン類による操作形態に比べて、ユーザーが直感的に操作することができるデジタルスチルカメラを提供することができる。
【図面の簡単な説明】
【図１】本発明が適用されるデジタルスチルカメラ１００の構成の一例を示すブロック図。
【図２】タッチパネルを用いたデジタルスチルカメラの背面図の一例。
【図３】標準再生モードにおけるタッチパネルへのタッチ入力の検出フローチャートの一例。
【図４】図３のパターンに対応する処理を示すフローチャート。
【図５】画像再生時におけるタッチパネルのなぞり操作による画像送り・戻し動作を示す図。
【図６】画像再生時におけるタッチパネルのなぞり操作による画像削除動作を示す図。
【図７】画像再生時におけるタッチパネルのなぞり操作による画像の保護動作を示す図。
【図８】画像再生時におけるタッチパネルのなぞり操作による画像のクオリティ変更動作を示す図。
【図９】画像再生時におけるタッチパネルのなぞり操作による画像のリサイズ動作を示す図。
【図１０】画像再生時におけるタッチパネルのなぞり操作による画像のコピー動作を示す図。
【図１１】画像再生時におけるタッチパネルのなぞり操作による表示モード変更動作を示す図。
【図１２】拡大モードにおけるなぞり操作処理の実施例を示すフローチャート。
【図１３】拡大モードにおける表示位置を任意の場所へ移動させる、なぞり操作を示す図。
【図１４】サムネイルモードにおける複数が像をスクロールさせる、なぞり操作を示す図。
【図１５】サムネイルモード時の動作を示すフローチャート。
【図１】
0003977684.tif 000002
【図２】
0003977684.tif 000003
【図３】
0003977684.tif 000004
【図４】
0003977684.tif 000005
【図５】
0003977684.tif 000006
【図６】
0003977684.tif 000007
【図７】
0003977684.tif 000008
【図８】
0003977684.tif 000009
【図９】
0003977684.tif 000010
【図１０】
0003977684.tif 000011
【図１１】
0003977684.tif 000012
【図１２】
0003977684.tif 000013
【図１３】
0003977684.tif 000014
【図１４】
0003977684.tif 000015
【図１５】
0003977684.tif 000016